(57)【特許請求の範囲】
【請求項１】
所定の処理が実行されたことに応じて、ユーザに通知を行う家庭用電気機器と、コンテンツサーバから受信した映像コンテンツを表示するコンテンツ表示装置と、ユーザ端末と、を備えた住宅内情報通知システムであって、
前記家庭用電気機器は、
前記所定の処理が実行されたことに応じて、前記コンテンツ表示装置に前記所定の処理が実行されたことを通知する通知情報と、予め設定されている前記通知情報の重要度と、を送信する送信手段を備え、
前記コンテンツ表示装置は、
前記コンテンツサーバから受信した映像コンテンツを表示手段に表示させるコンテンツ表示制御手段と、
前記家庭用電気機器から受信した重要度に基づいて、前記家庭用電気機器から受信した通知情報を表示するか否かを判断する表示判断手段と、
コンテンツを生成するアプリケーションを記憶する記憶手段と、
前記表示判断手段で、前記受信した通知情報を表示すると判断された場合に、前記受信した通知情報に基づいて、前記記憶手段に記憶されているアプリケーションによりコンテンツを生成し、前記映像コンテンツが配置されているレイヤよりも上層のレイヤに、生成したコンテンツを配置することで、前記映像コンテンツに前記受信した通知情報を重ね合わせて前記表示手段に表示させるアプリケーション実行手段と、
を備え、
前記コンテンツ表示装置が、前記家庭用電気機器が所定の処理を実行したことに応じて、前記映像コンテンツに重ね合わせた前記通知情報を前記表示手段に表示させてから任意の期間内に、前記ユーザからのアクションがない場合に、前記通知情報の重要度に応じて、前記ユーザ端末に通知情報を発信することを特徴とする住宅内情報通知システム。
【請求項２】
前記コンテンツ表示装置は、
前記表示判断手段で、前記受信した通知情報を表示すると判断された場合に、前記受信した重要度に基づいて、前記受信した通知情報の表示方法を決定する表示方法決定手段を備え、
前記アプリケーション実行手段は、前記表示判断手段で、前記受信した通知情報を表示すると判断された場合に、前記映像コンテンツが配置されているレイヤよりも上層のレイヤに、前記表示方法決定手段で決定された表示方法により、前記生成されたコンテンツを配置することで、前記映像コンテンツに前記受信した通知情報を重ね合わせて前記表示手段に表示させることを特徴とする請求項１に記載の住宅内情報通知システム。
【請求項３】
前記コンテンツ表示装置が、前記家庭用電気機器から受信した前記通知情報を保存する保存手段を備え、
前記ユーザ端末が、前記保存手段にアクセスするアクセス手段を備えたことを特徴とする請求項１または請求項２に記載の住宅内情報通知システム。
【請求項４】
前記記憶手段に記憶されているアプリケーションは、ウィジェット（Ｗｉｄｇｅｔ）・アプリケーションであることを特徴とする請求項１から請求項３のいずれかに記載の住宅内情報通知システム。
【請求項５】
前記アプリケーション実行手段は、前記生成したコンテンツを配置するレイヤを予め表示手段により表示されている画面上に重ね合わせていることを特徴とする請求項１から請求項４のいずれかに記載の住宅内情報通知システム。
【請求項６】
所定の処理が実行されたことに応じて、ユーザに通知を行う家庭用電気機器と、コンテンツサーバから受信した映像コンテンツを表示するコンテンツ表示装置と、ユーザ端末と、を備えた住宅内情報通知システムにおける住宅内情報通知方法であって、
前記コンテンツ表示装置が、前記コンテンツサーバから受信した映像コンテンツを表示手段に表示する第１のステップと、
前記家庭用電気機器が、前記所定の処理が実行されたことに応じて、前記コンテンツ表示装置に前記所定の処理が実行されたことを通知する通知情報と、予め設定されている前記通知情報の重要度と、を送信する第２のステップと、
前記コンテンツ表示装置が、前記家庭用電気機器から受信した重要度に基づいて、前記家庭用電気機器から受信した通知情報を表示するか否かを判断する第３のステップと、
前記コンテンツ表示装置が、前記第３のステップで、前記受信した通知情報を表示すると判断された場合に、予め記憶され、コンテンツを生成するアプリケーションにより、前記受信した通知情報に基づいて、コンテンツを生成し、前記映像コンテンツが配置されているレイヤよりも上層のレイヤに、生成したコンテンツを配置することで、前記映像コンテンツに前記受信した通知情報を重ね合わせて前記表示手段に表示させる第４のステップと、
前記コンテンツ表示装置が、前記第４のステップで、前記映像コンテンツに重ね合わせた前記通知情報を前記表示手段に表示させてから任意の期間内に、前記ユーザからのアクションがない場合に、前記通知情報の重要度に応じて、前記ユーザ端末に通知情報を発信する第５のステップと、
を有することを特徴とする住宅内情報通知方法。
【請求項７】
所定の処理が実行されたことに応じて、ユーザに通知を行う家庭用電気機器と、コンテンツサーバから受信した映像コンテンツを表示するコンテンツ表示装置と、ユーザ端末と、を備えた住宅内情報通知システムにおける住宅内情報通知方法であって、
前記コンテンツ表示装置が、前記コンテンツサーバから受信した映像コンテンツを表示手段に表示する第１のステップと、
前記家庭用電気機器が、前記所定の処理が実行されたことに応じて、前記コンテンツ表示装置に前記所定の処理が実行されたことを通知する通知情報と、予め設定されている前記通知情報の重要度と、を送信する第２のステップと、
前記コンテンツ表示装置が、前記家庭用電気機器から受信した重要度に基づいて、前記家庭用電気機器から受信した通知情報を表示するか否かを判断する第３のステップと、
前記コンテンツ表示装置が、前記受信した通知情報を表示すると判断された場合に、前記受信した重要度に基づいて、前記受信した通知情報の表示方法を決定する第４のステップと、
前記コンテンツ表示装置が、前記第４のステップで、前記受信した通知情報を表示すると判断された場合に、前記映像コンテンツが配置されているレイヤよりも上層のレイヤに、前記決定された表示方法により、前記生成されたコンテンツを配置することで、前記映像コンテンツに前記受信した通知情報を重ね合わせて表示させる第５のステップと、
前記コンテンツ表示装置が、前記第５のステップで、前記映像コンテンツに重ね合わせた前記通知情報を前記表示手段に表示させてから任意の期間内に、前記ユーザからのアクションがない場合に、前記通知情報の重要度に応じて、前記ユーザ端末に通知情報を発信する第６のステップと、
を有することを特徴とする住宅内情報通知方法。
【請求項８】
所定の処理が実行されたことに応じて、ユーザに通知を行う家庭用電気機器と、コンテ
ンツサーバから受信した映像コンテンツを表示するコンテンツ表示装置と、ユーザ端末と、を備えた住宅内情報通知システムにおける住宅内情報通知方法をコンピュータに実行させるためのプログラムであって、
前記コンテンツ表示装置が、前記コンテンツサーバから受信した映像コンテンツを表示手段に表示する第１のステップと、
前記家庭用電気機器が、前記所定の処理が実行されたことに応じて、前記コンテンツ表示装置に前記所定の処理が実行されたことを通知する通知情報と、予め設定されている前記通知情報の重要度と、を送信する第２のステップと、
前記コンテンツ表示装置が、前記家庭用電気機器から受信した重要度に基づいて、前記家庭用電気機器から受信した通知情報を表示するか否かを判断する第３のステップと、
前記コンテンツ表示装置が、前記第３のステップで、前記受信した通知情報を表示すると判断された場合に、予め記憶され、コンテンツを生成するアプリケーションにより、前記受信した通知情報に基づいて、コンテンツを生成し、前記映像コンテンツが配置されているレイヤよりも上層のレイヤに、生成したコンテンツを配置することで、前記映像コンテンツに前記受信した通知情報を重ね合わせて前記表示手段に表示させる第４のステップと、
前記コンテンツ表示装置が、前記第４のステップで、前記映像コンテンツに重ね合わせた前記通知情報を前記表示手段に表示させてから任意の期間内に、前記ユーザからのアクションがない場合に、前記通知情報の重要度に応じて、前記ユーザ端末に通知情報を発信する第５のステップと、
をコンピュータに実行させるためのプログラム。
【請求項９】
所定の処理が実行されたことに応じて、ユーザに通知を行う家庭用電気機器と、コンテンツサーバから受信した映像コンテンツを表示するコンテンツ表示装置と、ユーザ端末と、を備えた住宅内情報通知システムにおける住宅内情報通知方法をコンピュータに実行させるためのプログラムであって、
前記コンテンツ表示装置が、前記コンテンツサーバから受信した映像コンテンツを表示手段に表示する第１のステップと、
前記家庭用電気機器が、前記所定の処理が実行されたことに応じて、前記コンテンツ表示装置に前記所定の処理が実行されたことを通知する通知情報と、予め設定されている前記通知情報の重要度と、を送信する第２のステップと、
前記コンテンツ表示装置が、前記家庭用電気機器から受信した重要度に基づいて、前記家庭用電気機器から受信した通知情報を表示するか否かを判断する第３のステップと、
前記コンテンツ表示装置が、前記受信した通知情報を表示すると判断された場合に、前記受信した重要度に基づいて、前記受信した通知情報の表示方法を決定する第４のステップと、
前記コンテンツ表示装置が、前記第４のステップで、前記受信した通知情報を表示すると判断された場合に、前記映像コンテンツが配置されているレイヤよりも上層のレイヤに、前記決定された表示方法により、前記生成されたコンテンツを配置することで、前記映像コンテンツに前記受信した通知情報を重ね合わせて表示させる第５のステップと、
前記コンテンツ表示装置が、前記第５のステップで、前記映像コンテンツに重ね合わせた前記通知情報を前記表示手段に表示させてから任意の期間内に、前記ユーザからのアクションがない場合に、前記通知情報の重要度に応じて、前記ユーザ端末に通知情報を発信する第６のステップと、
をコンピュータに実行させるためのプログラム。
【発明の詳細な説明】
【技術分野】
【０００１】
本発明は、ユーザが視聴する映像コンテンツを表示している装置に、住宅内情報を表示する住宅内情報通知システム、住宅内情報通知方法、およびプログラムに関する。
【背景技術】
【０００２】
近年、テレビ型ドアホン、炊飯器、オーブンレンジ、エアコンディショナー、給湯機器等、家庭やオフィスといった家庭内で用いられる殆どの家庭用電気機器には、作業完了等を音や光で通知する機能が備えられている。しかしながら、ユーザは、家庭用電気機器の周囲にいない場合、音や光に気がつかず、作業完了等を知ることができない場合がある。また、テレビ型ドアホンの場合には、ドアホンが鳴る度にモニターのところまで、ユーザは行く必要があった。
【０００３】
そこで、これらの不便を解消するために、家庭用電気機器をキッチン等に設置されたコントローラに接続し、そのコントローラおよび接続された各家庭用電気機器のモニターを使用して、ユーザが家庭用電気機器の状態を把握することができる技術が提案されている（例えば、特許文献１参照）。
【先行技術文献】
【特許文献】
【０００４】
【特許文献１】特開２００５−３４２０７９号公報
【発明の概要】
【発明が解決しようとする課題】
【０００５】
ところで、近年、世界中の数多くの映像コンテンツを視聴することができるインターネットテレビが広まりつつあり、ユーザは、映像コンテンツを視聴する機会が増えている。そのため、映像コンテンツを視聴しているユーザが、映像コンテンツの音等により、家庭用電気機器の作業完了等の通知に気がつかないことが増えているという問題点があった。また、上記従来の方法では、複数の家庭用電気機器の状況を把握することができず、さらに、エラー通知も作業完了通知も全ての通知を表示するため、緊急性のない通知も表示してしまうという問題点があった。
【０００６】
そこで、本発明は、上述の課題に鑑みてなされたものであり、映像コンテンツを表示するコンテンツ表示装置に、コンテンツ表示装置と通信ネットワークで接続された各家庭用電気機器からの通知のうち、重要な通知を表示することにより、映像コンテンツの視聴中に各家庭用電気機器からの重要な通知をユーザが知ることができる住宅内情報通知システム、住宅内情報通知方法、およびプログラムを提供することを目的とする。
【課題を解決するための手段】
【０００７】
本発明は、上記の課題を解決するために、以下の事項を提案している。なお、理解を容易にするために、本発明の実施形態に対応する符号を付して説明するが、これに限定されるものではない。
【０００８】
（１）  本発明は、所定の処理が実行されたことに応じて、ユーザに通知を行う家庭用電気機器と、コンテンツサーバから受信した映像コンテンツを表示するコンテンツ表示装置と、ユーザ端末と、を備えた住宅内情報通知システムであって、前記家庭用電気機器は、前記所定の処理が実行されたことに応じて、前記コンテンツ表示装置に前記所定の処理が実行されたことを通知する通知情報と、予め設定されている前記通知情報の重要度と、を送信する送信手段を備え、前記コンテンツ表示装置は、前記コンテンツサーバから受信した映像コンテンツを表示手段に表示させるコンテンツ表示制御手段（例えば、図２のコンテンツ表示制御部２０２）と、前記家庭用電気機器から受信した重要度に基づいて、前記家庭用電気機器から受信した通知情報を表示するか否かを判断する表示判断手段（例えば、図２の表示判断部２０３）と、コンテンツを生成するアプリケーションを記憶する記憶手段と、前記表示判断手段で、前記受信した通知情報を表示すると判断された場合に、前記受信した通知情報に基づいて、前記記憶手段に記憶されているアプリケーションによりコンテンツを生成し、前記映像コンテンツが配置されているレイヤよりも上層のレイヤに、生成したコンテンツを配置することで、前記映像コンテンツに前記受信した通知情報を重ね合わせて前記表示手段に表示させるアプリケーション実行手段（例えば、図２のアプリケーション実行部２０４）と、を備え、前記コンテンツ表示装置が、前記家庭用電気機器が所定の処理を実行したことに応じて、前記映像コンテンツに重ね合わせた前記通知情報を前記表示手段に表示させてから任意の期間内に、前記ユーザからのアクションがない場合に、前記通知情報の重要度に応じて、前記ユーザ端末（例えば、図１の携帯電話３００ｇに相当）に通知情報を発信することを特徴とする住宅内情報通知システムを提案している。
【０００９】
この発明によれば、家庭用電気機器の送信手段は、所定の処理が実行されたことに応じて、コンテンツ表示装置に所定の処理が実行されたことを通知する通知情報と、予め設定されている通知情報の重要度と、を送信する。コンテンツ表示装置の表示制御手段は、コンテンツサーバから受信した映像コンテンツを表示手段に表示させる。コンテンツ表示装置の表示判断手段は、家庭用電気機器から受信した重要度に基づいて、家庭用電気機器から受信した通知情報を表示するか否かを判断する。記憶手段は、コンテンツを生成するアプリケーションを記憶する。コンテンツ表示装置のアプリケーション実行手段は、表示判断手段で、受信した通知情報を表示すると判断された場合に、受信した通知情報に基づいて、記憶手段に記憶されているアプリケーションによりコンテンツを生成し、映像コンテンツが配置されているレイヤよりも上層のレイヤに、生成したコンテンツを配置することで、映像コンテンツに受信した通知情報を重ね合わせて表示手段に表示させる。コンテンツ表示装置は、家庭用電気機器が所定の処理を実行したことに応じて、映像コンテンツに重ね合わせた通知情報を表示手段に表示させてから任意の期間内に、ユーザからのアクションがない場合に、通知情報の重要度に応じて、ユーザ端末に通知情報を発信する。したがって、コンテンツ表示装置に、家庭用電気機器から受信した通知のうち、重要な通知を、表示手段に表示されている映像コンテンツに重ね合わせて表示することにより、映像コンテンツの視聴中に家庭用電気機器からの重要な通知をユーザが知ることができる。また、通知情報を表示するだけでなく、通知情報の表示後、任意の期間内に、ユーザからのアクションがない場合に、コンテンツ表示装置が、通知した情報の重要度に応じて、ユーザ端末に通知情報を発信することから、確実に住宅内の情報をユーザに通知することができる。
【００１０】
（２）  本発明は、（１）の住宅内情報通知システムにおいて、前記コンテンツ表示装置は、前記表示判断手段で、前記受信した通知情報を表示すると判断された場合に、前記受信した重要度に基づいて、前記受信した通知情報の表示方法を決定する表示方法決定手段（例えば、図４の表示方法決定部２０７に相当）を備え、前記アプリケーション実行手段（例えば、図４のアプリケーション実行部２０８に相当）は、前記表示判断手段で、前記受信した通知情報を表示すると判断された場合に、前記映像コンテンツが配置されているレイヤよりも上層のレイヤに、前記表示方法決定手段で決定された表示方法により、前記生成されたコンテンツを配置することで、前記映像コンテンツに前記受信した通知情報を重ね合わせて前記表示手段に表示させることを特徴とする住宅内情報通知システムを提案している。
【００１１】
この発明によれば、コンテンツ表示装置の表示方法決定手段は、表示判断手段で、受信した通知情報を表示すると判断された場合に、受信した重要度に基づいて、受信した通知情報の表示方法を決定する。コンテンツ表示装置のアプリケーション実行手段は、表示判断手段で、受信した通知情報を表示すると判断された場合に、映像コンテンツが配置されているレイヤよりも上層のレイヤに、生成されたコンテンツを、表示方法決定手段で決定された表示方法により、配置することで、映像コンテンツに前記受信した通知情報を重ね合わせて前記表示手段に表示させる。したがって、家庭用電気機器から受信した通知の表示方法を、それぞれの重要度に応じて変えることができる。
【００１２】
（３）  本発明は、（１）または（２）の住宅内情報通知システムにおいて、前記コンテンツ表示装置が、前記家庭用電気機器から受信した前記通知情報を保存する保存手段（例えば、図２の保存部２０６に相当）を備え、前記ユーザ端末が、前記保存手段にアクセスするアクセス手段を備えたことを特徴とする住宅内情報通知システムを提案している。
【００１３】
この発明によれば、コンテンツ表示装置の保存手段が、家庭用電気機器から受信した通知情報を保存し、ユーザ端末のアクセス手段が、保存手段にアクセスする。したがって、長期間、家を空けた場合でも、ユーザ端末からコンテンツ表示装置の保存手段にアクセスすることにより、その間、どのような通知があったのかを知ることができる。
【００１４】
（４）  本発明は、（１）から（３）の住宅内情報通知システムにおいて、前記記憶手段に記憶されているアプリケーションは、ウィジェット（Ｗｉｄｇｅｔ）・アプリケーションであることを特徴とする住宅内情報通知システムを提案している。
【００１５】
この発明によれば、記憶手段に記憶されているアプリケーションは、ウィジェット（Ｗｉｄｇｅｔ）・アプリケーションである。したがって、特定機能を実現するのに適した簡易なアプリケーションソフトウェアであるウィジェット・アプリケーションを用いることにより、コンテンツ表示装置への処理負荷を低くでき、また、メモリの消費量も少なくすることができる。
【００１６】
（５）  本発明は、（１）から（４）の住宅内情報通知システムにおいて、前記アプリケーション実行手段は、前記生成したコンテンツを配置するレイヤを予め表示手段により表示されている画面上に重ね合わせていることを特徴とする住宅内情報通知システムを提案している。
【００１７】
この発明によれば、アプリケーション実行手段は、生成したコンテンツを配置するレイヤを予め表示手段により表示されている画面上に重ね合わせている。したがって、通知情報のコンテンツを表示するレイヤを画面上に用意しておくことにより、家庭用電気機器から受信した通知情報を、すぐに表示することができる。
【００１８】
（６）  本発明は、所定の処理が実行されたことに応じて、ユーザに通知を行う家庭用電気機器と、コンテンツサーバから受信した映像コンテンツを表示するコンテンツ表示装置と、ユーザ端末と、を備えた住宅内情報通知システムにおける住宅内情報通知方法であって、前記コンテンツ表示装置が、前記コンテンツサーバから受信した映像コンテンツを表示手段に表示する第１のステップ（例えば、図３のステップＳ１）と、前記家庭用電気機器が、前記所定の処理が実行されたことに応じて、前記コンテンツ表示装置に前記所定の処理が実行されたことを通知する通知情報と、予め設定されている前記通知情報の重要度と、を送信する第２のステップ（例えば、図３のステップＳ２）と、前記コンテンツ表示装置が、前記家庭用電気機器から受信した重要度に基づいて、前記家庭用電気機器から受信した通知情報を表示するか否かを判断する第３のステップ（例えば、図３のステップＳ３）と、前記コンテンツ表示装置が、前記第３のステップで、前記受信した通知情報を表示すると判断された場合に、予め記憶されている、コンテンツを生成するアプリケーションにより、前記受信した通知情報に基づいて、コンテンツを生成し、前記映像コンテンツが配置されているレイヤよりも上層のレイヤに、生成したコンテンツを配置することで、前記映像コンテンツに前記受信した通知情報を重ね合わせて前記表示手段に表示させる第４のステップ（例えば、図３のステップＳ４）と、前記コンテンツ表示装置が、前記第４のステップで、前記映像コンテンツに重ね合わせた前記通知情報を前記表示手段に表示させてから任意の期間内に、前記ユーザからのアクションがない場合に、前記通知情報の重要度に応じて、前記ユーザ端末に通知情報を発信する第５のステップと、を有することを特徴とする住宅内情報通知方法を提案している。
【００１９】
この発明によれば、まず、第１のステップにおいて、コンテンツ表示装置は、コンテンツサーバから受信した映像コンテンツを表示手段に表示する。次に、第２のステップにおいて、家庭用電気機器は、所定の処理が実行されたことに応じて、コンテンツ表示装置に所定の処理が実行されたことを通知する通知情報と、予め設定されている通知情報の重要度と、を送信する。次に、第３のステップにおいて、コンテンツ表示装置は、家庭用電気機器から受信した重要度に基づいて、家庭用電気機器から受信した通知情報を表示するか否かを判断する。次に、第４のステップにおいて、コンテンツ表示装置は、第３のステップで、受信した通知情報を表示すると判断された場合に、予め記憶され、コンテンツを生成するアプリケーションにより、受信した通知情報に基づいて、コンテンツを生成し、映像コンテンツが配置されているレイヤよりも上層のレイヤに、生成したコンテンツを配置することで、映像コンテンツに受信した通知情報を重ね合わせて表示手段に表示させる。そして、第５のステップにおいて、コンテンツ表示装置は、第４のステップで、映像コンテンツに重ね合わせた通知情報を表示手段に表示させてから任意の期間内に、ユーザからのアクションがない場合に、通知情報の重要度に応じて、ユーザ端末に通知情報を発信する。したがって、コンテンツ表示装置に、家庭用電気機器から受信した通知のうち、重要な通知を、表示手段に表示されている映像コンテンツに重ね合わせて表示することにより、映像コンテンツの視聴中に家庭用電気機器からの重要な通知をユーザが知ることができる。また、通知情報を表示するだけでなく、通知情報の表示後、任意の期間内に、ユーザからのアクションがない場合に、コンテンツ表示装置が、通知した情報の重要度に応じて、ユーザ端末に通知情報を発信することから、確実に住宅内の情報をユーザに通知することができる。
【００２０】
（７）本発明は、所定の処理が実行されたことに応じて、ユーザに通知を行う家庭用電気機器と、コンテンツサーバから受信した映像コンテンツを表示するコンテンツ表示装置と、ユーザ端末と、を備えた住宅内情報通知システムにおける住宅内情報通知方法であって、前記コンテンツ表示装置が、前記コンテンツサーバから受信した映像コンテンツを表示手段に表示する第１のステップと、前記家庭用電気機器が、前記所定の処理が実行されたことに応じて、前記コンテンツ表示装置に前記所定の処理が実行されたことを通知する通知情報と、予め設定されている前記通知情報の重要度と、を送信する第２のステップと、前記コンテンツ表示装置が、前記家庭用電気機器から受信した重要度に基づいて、前記家庭用電気機器から受信した通知情報を表示するか否かを判断する第３のステップと、前記コンテンツ表示装置が、前記受信した通知情報を表示すると判断された場合に、前記受信した重要度に基づいて、前記受信した通知情報の表示方法を決定する第４のステップと、前記コンテンツ表示装置が、前記第４のステップで、前記受信した通知情報を表示すると判断された場合に、前記映像コンテンツが配置されているレイヤよりも上層のレイヤに、前記決定された表示方法により、前記生成されたコンテンツを配置することで、前記映像コンテンツに前記受信した通知情報を重ね合わせて表示させる第５のステップと、前記コンテンツ表示装置が、前記第５のステップで、前記映像コンテンツに重ね合わせた前記通知情報を前記表示手段に表示させてから任意の期間内に、前記ユーザからのアクションがない場合に、前記通知情報の重要度に応じて、前記ユーザ端末に通知情報を発信する第６のステップと、を有することを特徴とする住宅内情報通知方法を提案している。
【００２１】
この発明によれば、コンテンツ表示装置が、コンテンツサーバから受信した映像コンテンツを表示手段に表示し、家庭用電気機器が、所定の処理が実行されたことに応じて、コンテンツ表示装置に所定の処理が実行されたことを通知する通知情報と、予め設定されている通知情報の重要度と、を送信する。次に、コンテンツ表示装置が、家庭用電気機器から受信した重要度に基づいて、家庭用電気機器から受信した通知情報を表示するか否かを判断し、コンテンツ表示装置が、受信した通知情報を表示すると判断された場合に、受信した重要度に基づいて、受信した通知情報の表示方法を決定する。次に、コンテンツ表示装置が、前のステップで受信した通知情報を表示すると判断された場合に、映像コンテンツが配置されているレイヤよりも上層のレイヤに、前のステップで決定された表示方法により、生成されたコンテンツを配置することで、映像コンテンツに受信した通知情報を重ね合わせて表示させる。そして、コンテンツ表示装置は、前のステップで、映像コンテンツに重ね合わせた通知情報を表示手段に表示させてから任意の期間内に、ユーザからのアクションがない場合に、通知情報の重要度に応じて、ユーザ端末に通知情報を発信する。したがって、コンテンツ表示装置に、家庭用電気機器から受信した通知のうち、重要な通知を、表示手段に表示されている映像コンテンツに重ね合わせて表示することにより、映像コンテンツの視聴中に家庭用電気機器からの重要な通知をユーザが知ることができる。また、家庭用電気機器から受信した通知の表示方法を、それぞれの重要度に応じて変えることができる。また、通知情報を表示するだけでなく、通知情報の表示後、任意の期間内に、ユーザからのアクションがない場合に、コンテンツ表示装置が、通知した情報の重要度に応じて、ユーザ端末に通知情報を発信することから、確実に住宅内の情報をユーザに通知することができる。
【００２２】
（８）  本発明は、所定の処理が実行されたことに応じて、ユーザに通知を行う家庭用電気機器と、コンテンツサーバから受信した映像コンテンツを表示するコンテンツ表示装置と、ユーザ端末と、を備えた住宅内情報通知システムにおける住宅内情報通知方法をコンピュータに実行させるためのプログラムであって、前記コンテンツ表示装置が、前記コンテンツサーバから受信した映像コンテンツを表示手段に表示する第１のステップ（例えば、図３のステップＳ１）と、前記家庭用電気機器が、前記所定の処理が実行されたことに応じて、前記コンテンツ表示装置に前記所定の処理が実行されたことを通知する通知情報と、予め設定されている前記通知情報の重要度と、を送信する第２のステップ（例えば、図３のステップＳ２）と、前記コンテンツ表示装置が、前記家庭用電気機器から受信した重要度に基づいて、前記家庭用電気機器から受信した通知情報を表示するか否かを判断する第３のステップ（例えば、図３のステップＳ３）と、前記コンテンツ表示装置が、前記第３のステップで、前記受信した通知情報を表示すると判断された場合に、予め記憶され、コンテンツを生成するアプリケーションにより、前記受信した通知情報に基づいて、コンテンツを生成し、前記映像コンテンツが配置されているレイヤよりも上層のレイヤに、生成したコンテンツを配置することで、前記映像コンテンツに前記受信した通知情報を重ね合わせて前記表示手段に表示させる第４のステップ（例えば、図３のステップＳ４）と、前記コンテンツ表示装置が、前記第４のステップで、前記映像コンテンツに重ね合わせた前記通知情報を前記表示手段に表示させてから任意の期間内に、前記ユーザからのアクションがない場合に、前記通知情報の重要度に応じて、前記ユーザ端末に通知情報を発信する第５のステップと、をコンピュータに実行させるためのプログラムを提案している。
【００２３】
この発明によれば、まず、第１のステップにおいて、コンテンツ表示装置は、コンテンツサーバから受信した映像コンテンツを表示手段に表示する。次に、第２のステップにおいて、家庭用電気機器は、所定の処理が実行されたことに応じて、コンテンツ表示装置に所定の処理が実行されたことを通知する通知情報と、予め設定されている通知情報の重要度と、を送信する。次に、第３のステップにおいて、コンテンツ表示装置は、家庭用電気機器から受信した重要度に基づいて、家庭用電気機器から受信した通知情報を表示するか否かを判断する。次に、第４のステップにおいて、コンテンツ表示装置は、第３のステップで、受信した通知情報を表示すると判断された場合に、予め記憶され、コンテンツを生成するアプリケーションにより、受信した通知情報に基づいて、コンテンツを生成し、映像コンテンツが配置されているレイヤよりも上層のレイヤに、生成したコンテンツを配置することで、映像コンテンツに受信した通知情報を重ね合わせて表示手段に表示させる。そして、第５のステップにおいて、コンテンツ表示装置は、第４のステップで、映像コンテンツに重ね合わせた通知情報を表示手段に表示させてから任意の期間内に、ユーザからのアクションがない場合に、通知情報の重要度に応じて、ユーザ端末に通知情報を発信する。したがって、コンテンツ表示装置に、家庭用電気機器から受信した通知のうち、重要な通知を、表示手段に表示されている映像コンテンツに重ね合わせて表示することにより、映像コンテンツの視聴中に家庭用電気機器からの重要な通知をユーザが知ることができる。また、通知情報を表示するだけでなく、通知情報の表示後、任意の期間内に、ユーザからのアクションがない場合に、コンテンツ表示装置が、通知した情報の重要度に応じて、ユーザ端末に通知情報を発信することから、確実に住宅内の情報をユーザに通知することができる。
【００２４】
（９）  本発明は、所定の処理が実行されたことに応じて、ユーザに通知を行う家庭用電気機器と、コンテンツサーバから受信した映像コンテンツを表示するコンテンツ表示装置と、ユーザ端末と、を備えた住宅内情報通知システムにおける住宅内情報通知方法をコンピュータに実行させるためのプログラムであって、前記コンテンツ表示装置が、前記コンテンツサーバから受信した映像コンテンツを表示手段に表示する第１のステップと、前記家庭用電気機器が、前記所定の処理が実行されたことに応じて、前記コンテンツ表示装置に前記所定の処理が実行されたことを通知する通知情報と、予め設定されている前記通知情報の重要度と、を送信する第２のステップと、前記コンテンツ表示装置が、前記家庭用電気機器から受信した重要度に基づいて、前記家庭用電気機器から受信した通知情報を表示するか否かを判断する第３のステップと、前記コンテンツ表示装置が、前記受信した通知情報を表示すると判断された場合に、前記受信した重要度に基づいて、前記受信した通知情報の表示方法を決定する第４のステップと、前記コンテンツ表示装置が、前記第４のステップで、前記受信した通知情報を表示すると判断された場合に、前記映像コンテンツが配置されているレイヤよりも上層のレイヤに、前記決定された表示方法により、前記生成されたコンテンツを配置することで、前記映像コンテンツに前記受信した通知情報を重ね合わせて表示させる第５のステップと、前記コンテンツ表示装置が、前記第５のステップで、前記映像コンテンツに重ね合わせた前記通知情報を前記表示手段に表示させてから任意の期間内に、前記ユーザからのアクションがない場合に、前記通知情報の重要度に応じて、前記ユーザ端末に通知情報を発信する第６のステップと、をコンピュータに実行させるためのプログラムを提案している。
【００２５】
この発明によれば、コンテンツ表示装置が、コンテンツサーバから受信した映像コンテンツを表示手段に表示し、家庭用電気機器が、所定の処理が実行されたことに応じて、コンテンツ表示装置に所定の処理が実行されたことを通知する通知情報と、予め設定されている通知情報の重要度と、を送信する。次に、コンテンツ表示装置が、家庭用電気機器から受信した重要度に基づいて、家庭用電気機器から受信した通知情報を表示するか否かを判断し、コンテンツ表示装置が、受信した通知情報を表示すると判断された場合に、受信した重要度に基づいて、受信した通知情報の表示方法を決定する。次に、コンテンツ表示装置が、前のステップで受信した通知情報を表示すると判断された場合に、映像コンテンツが配置されているレイヤよりも上層のレイヤに、前のステップで決定された表示方法により、生成されたコンテンツを配置することで、映像コンテンツに受信した通知情報を重ね合わせて表示させる。そして、コンテンツ表示装置は、前のステップで、映像コンテンツに重ね合わせた通知情報を表示手段に表示させてから任意の期間内に、ユーザからのアクションがない場合に、通知情報の重要度に応じて、ユーザ端末に通知情報を発信する。したがって、コンテンツ表示装置に、家庭用電気機器から受信した通知のうち、重要な通知を、表示手段に表示されている映像コンテンツに重ね合わせて表示することにより、映像コンテンツの視聴中に家庭用電気機器からの重要な通知をユーザが知ることができる。また、家庭用電気機器から受信した通知の表示方法を、それぞれの重要度に応じて変えることができる。また、通知情報を表示するだけでなく、通知情報の表示後、任意の期間内に、ユーザからのアクションがない場合に、コンテンツ表示装置が、通知した情報の重要度に応じて、ユーザ端末に通知情報を発信することから、確実に住宅内の情報をユーザに通知することができる。
【発明の効果】
【００２８】
本発明によれば、映像コンテンツを表示するコンテンツ表示装置に、コンテンツ表示装置と通信ネットワークで接続された各家庭用電気機器からの通知のうち、重要な通知を表示することにより、映像コンテンツの視聴中に各家庭用電気機器からの重要な通知をユーザが知ることができる。
【図面の簡単な説明】
【００２９】
【図１】本発明に係る住宅内情報通知システムの構成を示す図である。
【図２】本発明の第１の実施形態に係るＳＴＢの構成を示す図である。
【図３】本発明第１の実施形態に係る住宅内情報通知システムの処理フローを示す図である。
【図４】本発明の第２の実施形態に係るＳＴＢの構成を示す図である。
【図５】本発明の第２の実施形態に係る住宅内情報通知システムの処理フローを示す図である。
【発明を実施するための形態】
【００３０】
以下、図面を用いて、本発明の実施形態について詳細に説明する。なお、本実施形態における構成要素は適宜、既存の構成要素等との置き換えが可能であり、また、他の既存の構成要素との組み合わせを含む様々なバリエーションが可能である。したがって、本実施形態の記載をもって、特許請求の範囲に記載された発明の内容を限定するものではない。
【００３１】
＜第１の実施形態＞
図１から図３を用いて、本発明の第１の実施形態について説明する。
【００３２】
＜住宅内情報通知システムの構成＞
図１は、本発明に係る住宅内情報通知システム１の構成を示す図である。本発明に係る住宅内情報通知システム１は、コンテンツサーバ１００、家庭用電気機器３００ａ〜３００ｄ、およびＳＴＢ２００から構成されている。ＳＴＢ２００と、コンテンツサーバ１００、家庭用電気機器３００ａ〜３００ｇそれぞれは通信ネットワークを介して接続されている。
【００３３】
コンテンツサーバ１００は、映像コンテンツを配信する事業者が有するサーバであって、通信ネットワークを介してＳＴＢ２００に映像コンテンツを配信する。
【００３４】
家庭用電気機器３００ａ〜３００ｇは、住宅２内、言い換えると、家庭内で使用される電気機器であって、図１に示すように、本実施形態においては、玄関１０に設置されているテレビ型ドアホン３００ａ、風呂場３０に設置されている給湯機器３００ｂ、キッチン４０に設置されているオーブンレンジ３００ｃ、炊飯器３００ｄ、冷蔵庫３００ｅ、電話／ＦＡＸ３００ｆおよび携帯電話３００ｇを例示している。なお、通信機能およびユーザへの通知機能を備え、住宅２内もしく住宅２の敷地内にある機器であればこれらに限られない。以下、特に、家庭用電気機器３００ａ〜３００ｇを区別しない場合には、家庭用電気機器３００とする。
【００３５】
家庭用電気機器３００は、作業完了等の家庭用電気機器の機能による処理が実行されたことに応じて、通知情報および通知情報の重要度をＳＴＢ２００に送信する送信部（図示せず）を備える。ここで、通知情報とは、家庭用電気機器３００が実行した処理または実行している処理をユーザに通知する情報や、異常時やエラーをユーザに通知する情報であって、例えば、テレビ型ドアホン３００ａであれば、玄関に設置されたテレビ型ドアホン３００ａの呼び出しボタンが訪問者により押下されたことを通知する情報、カメラやマイクからの画像情報や音声情報であり、オーブンレンジ３００ｃであれば、加熱が完了したことを通知する情報、加熱の残り時間の情報、庫内温度の異常値を通知する情報である。さらに、冷蔵庫３００ｅの場合は、冷蔵庫内にあるものの情報を管理し、ＳＴＢ２００からの問い合わせに対して、回答を返送する。なお、テレビ型ドアホン３００ａの場合、テレビ型ドアホン３００ａが自律的に音声応答をすることができないため、タブレット端末や携帯端末等を用いて対応してもよいし、アプリケーションに応答パターンを登録しておくようにしてもよい。
【００３６】
また、通知情報の重要度とは、通知情報のユーザにおける重要度であって、例えば、通知情報を受け取ったユーザによる対応の必要性に応じて決定され、予め、家庭用電気機器３００に設定されている。なお、通知情報の重要度は、家庭用電気機器３００のメーカーが設定してもよいし、ユーザが設定してもよい。例えば、通知情報の重要度は、異常時やエラーの通知情報の場合には高く設定され、一方、家庭用電気機器３００が実行している処理状況に関する通知情報の場合には低く設定される。
【００３７】
ＳＴＢ２００は、コンテンツサーバ１００から受信した映像コンテンツを表示する。また、ＳＴＢ２００は、コンテンツサーバ１００から受信した映像コンテンツを表示している画面上に重ね合わせる形で、ウィジェット・アプリケーション（以下、ウィジェットアプリという）を用いて通知情報を表示する。また、家庭用電気機器３００が所定の処理を実行したことに応じて、ユーザに通知を行ってから任意の期間内に、ユーザからのアクションがない場合に、通知した情報の重要度に応じて、携帯電話３００ｇに通知情報を発信する。さらに、家庭用電気機器３００から受信した通知情報を保存し、携帯電話３００ｇからのアクセスに対して、保存している情報を返送する。なお、本実施形態において、コンテンツ表示装置をＳＴＢ２００としているが、上述した機能を有すれば、ＰＣ、テレビジョン受像機等であってもよい。
【００３８】
＜ＳＴＢの構成＞
図２は、本発明に係るＳＴＢ２００の構成を示す図である。図２の示すように、ＳＴＢ２００は、受信部２０１、コンテンツ表示制御部２０２、表示判断部２０３、アプリケーション実行部２０４、表示部２０５および保存部２０６から構成される。
【００３９】
受信部２０１は、コンテンツサーバ１００から映像コンテンツを受信する。また、受信部２０１は、家庭用電気機器３００から、通知情報および通知情報の重要度を受信する。
【００４０】
コンテンツ表示制御部２０２は、受信部２０１で受信した映像コンテンツを再生し、再生した映像コンテンツを表示部２０５に出力する。
【００４１】
表示判断部２０３は、受信部２０１を介して家庭用電気機器３００から受信した、通知情報の重要度に基づいて、家庭用電気機器３００から受信した通知情報を表示するか否かを判断する。そして、表示判断部２０３は、通知情報の重要度により表示することを決定した場合には、通知情報をアプリケーション実行部２０４に送信する。一方、表示判断部２０３は、表示しないことを決定した場合には、通知情報をアプリケーション実行部２０４に送信しない。通知情報の重要度に基づいて、家庭用電気機器３００から受信した通知情報を表示するか否かを判断することにより、通知情報の重要度、すなわち、ユーザによる対応が必要となる通知情報やユーザが必要としている通知情報を表示部２０５に表示することができる。
【００４２】
アプリケーション実行部２０４は、予め記憶部（図示せず）に記憶されているウィジェットアプリを実行する。そして、アプリケーション実行部２０４は、表示判断部２０３を介して通知情報を取得すると、ウィジェットアプリと通知情報とに基づいて、コンテンツとして画像を生成し、表示部２０５にコンテンツ画像を出力する。ここで、ウィジェットアプリは、コンテンツサーバ１００から映像コンテンツとともに受信し、記憶部に記憶されてもよいし、ウィジェットアプリを配信するアプリケーションサーバから受信し、記憶部に記憶されてもよい。
【００４３】
なお、アプリケーション実行部２０４は、通知情報を表示するためのコンテンツを配置するレイヤを、予め、画面上に重ね合わせておいてもよい。ウィジェットアプリと通知情報とに基づいてコンテンツ画像が生成されると、生成されたコンテンツ画像は予め画面上に重ね合わされているレイヤに表示される。それにより、家庭用電気機器３００から受信した通知情報を、すぐに表示することができる。
【００４４】
表示部２０５は、コンテンツ表示制御部２０２からの映像コンテンツと、アプリケーション実行部２０４からのコンテンツ画像を重畳処理し、重ね合わせた映像を表示する。なお、表示部２０５は、入力された映像信号を表示し、例えばＬＣＤ（Ｌｉｑｕｉｄ  Ｃｒｙｓｔａｌ  Ｄｉｓｐｌａｙ）等のディスプレイである。保存部２０６は、家庭用電気機器３００から受信した通知情報を保存する。
【００４５】
＜住宅内情報通知システムの処理フロー＞
図３は、本発明に係る住宅内情報通知システムの処理フローを示す図である。本処理は、ＳＴＢ２００の電源がＯＮ、表示器の電源がＯＮの場合に開始するのが一般的であるが、ＳＴＢ２００の電源がＯＮ、表示器の電源がＯＦＦの場合には、表示器の電源をＯＮして、開始し、一定時間後、表示器の電源をＯＦＦする。また、ＳＴＢ２００の電源がＯＦＦ、表示器の電源がＯＦＦの場合には、ＳＴＢ２００の電源および表示器の電源をＯＮして、開始し、一定時間後、表示器の電源をＯＦＦする。さらに、ＳＴＢ２００の電源がＯＦＦ、表示器の電源がＯＮの場合には、ＳＴＢ２００の電源をＯＮして、開始し、一定時間後、表示器の電源をＯＦＦする。
【００４６】
まず、ステップＳ１において、コンテンツ表示制御部２０２は、コンテンツサーバ１００から受信した映像コンテンツを表示部２０５に表示する。
【００４７】
次に、ステップＳ２において、受信部２０１は、家庭用電気機器３００において、所定の処理が実行されたことに応じて送信される、通知情報と、通知情報の重要度と、家庭用電気機器３００から受信する。
【００４８】
次に、ステップＳ３において、表示判断部２０３は、家庭用電気機器３００から受信した通知情報の重要度に基づいて、通知情報の重要度とともに家庭用電気機器３００から受信した通知情報を表示部２０５に表示するか否かを判断する。通知情報を表示すると決定した場合（ＹＥＳ）には、ステップＳ４に処理を進め、通知情報を表示しないと決定した場合（ＮＯ）には、ステップＳ５に処理を進める。
【００４９】
次に、ステップＳ４において、アプリケーション実行部２０４は、ステップＳ３で表示部２０５に表示すると判断された通知情報と、記憶部に記憶されているウィジェットアプリとにより、コンテンツ画像を生成し、映像コンテンツが配置されているレイヤよりも上層のレイヤに、生成したコンテンツ画像を配置することで、映像コンテンツに受信した通知情報を重ね合わせて表示部２０５に表示する。
【００５０】
次に、ステップＳ５において、ＳＴＢ２００の電源がＯＦＦか否かを判断する。電源がＯＦＦな場合（ＹＥＳ）には、処理は終了し、電源がＯＮな場合（ＮＯ）には、ステップＳ２に処理を戻す。ＳＴＢ２００は、電源がＯＮになっている時には、家庭用電気機器３００からの通信情報および通信情報の重要度を受信できるように待機し、通信情報および通信情報の重要度を受信すると、ステップＳ２からＳ４の処理を実行する。
【００５１】
以上説明したように、本実施形態によれば、映像コンテンツを表示するコンテンツ表示装置に、コンテンツ表示装置と通信ネットワークで接続された各家庭用電気機器からの通知のうち、重要な通知を表示することにより、映像コンテンツの視聴中に各家庭用電気機器からの重要な通知をユーザが知ることができる。
【００５２】
＜第２の実施形態＞
図４および図５を用いて、本発明の第２の実施形態について説明する。
【００５３】
＜ＳＴＢの構成＞
図４は、本発明に係るＳＴＢ２００の構成を示す図である。図４の示すように、ＳＴＢ２００は、受信部２０１、コンテンツ表示制御部２０２、表示判断部２０３、表示部２０５、保存部２０６、表示方法決定部２０７およびアプリケーション実行部２０８から構成される。なお、第１の実施形態と同一の符号を付す構成要素については、同様の機能を有することから、その詳細な説明は、省略する。
【００５４】
表示方法決定部２０７は、表示判断部２０３において、受信した通知情報を表示すると判断された場合に、受信した重要度に基づいて、受信した通知情報の表示方法を決定する。具体的には、表示方法決定部２０７は、ウィジェットアプリと通知情報から生成されるコンテンツ画像の大きさや、コンテンツ画像の表示位置、表示形式等を決定する。例えば、表示方法決定部２０７は、重要度が高い通知情報の場合には、コンテンツ画像を表示部２０５の画面サイズで表示すると決定し、一方、重要度が低い通知情報の場合には、画面右下にポップアップメッセージとして表示すると決定する。
【００５５】
アプリケーション実行部２０８は、予め記憶部（図示せず）に記憶されているウィジェットアプリを実行する。そして、アプリケーション実行部２０８は、表示判断部２０３において、受信した通知情報を表示すると判断された場合に、映像コンテンツが配置されているレイヤよりも上層のレイヤに、表示方法決定部２０７において決定された表示方法により、生成されたコンテンツを配置することで、映像コンテンツに受信した通知情報を重ね合わせて表示部２０５に表示させる。ここで、ウィジェットアプリは、コンテンツサーバ１００から映像コンテンツとともに受信し、記憶部に記憶されてもよいし、ウィジェットアプリを配信するアプリケーションサーバから受信し、記憶部に記憶されてもよい。
【００５６】
なお、アプリケーション実行部２０８は、通知情報を表示するためのコンテンツを配置するレイヤを、予め、画面上に重ね合わせておいてもよい。ウィジェットアプリと通知情報とに基づいてコンテンツ画像が生成されると、生成されたコンテンツ画像は予め画面上に重ね合わされているレイヤに表示される。それにより、家庭用電気機器３００から受信した通知情報を、すぐに表示することができる。
【００５７】
＜住宅内情報通知システムの処理フロー＞
図５は、本発明に係る住宅内情報通知システムの処理フローを示す図である。本処理は、ＳＴＢ２００の電源がＯＮ、表示器の電源がＯＮの場合に開始するのが一般的であるが、ＳＴＢ２００の電源がＯＮ、表示器の電源がＯＦＦの場合には、表示器の電源をＯＮして、開始し、一定時間後、表示器の電源をＯＦＦする。また、ＳＴＢ２００の電源がＯＦＦ、表示器の電源がＯＦＦの場合には、ＳＴＢ２００の電源および表示器の電源をＯＮして、開始し、一定時間後、表示器の電源をＯＦＦする。さらに、ＳＴＢ２００の電源がＯＦＦ、表示器の電源がＯＮの場合には、ＳＴＢ２００の電源をＯＮして、開始し、一定時間後、表示器の電源をＯＦＦする。
【００５８】
まず、ステップＳ１１において、コンテンツ表示制御部２０２は、コンテンツサーバ１００から受信した映像コンテンツを表示部２０５に表示する。
【００５９】
次に、ステップＳ１２において、受信部２０１は、家庭用電気機器３００において、所定の処理が実行されたことに応じて送信される、通知情報と、通知情報の重要度と、家庭用電気機器３００から受信する。
【００６０】
次に、ステップＳ１３において、表示判断部２０３は、家庭用電気機器３００から受信した通知情報の重要度に基づいて、通知情報の重要度とともに家庭用電気機器３００から受信した通知情報を表示部２０５に表示するか否かを判断する。通知情報を表示すると決定した場合（ＹＥＳ）には、ステップＳ１４に処理を進め、通知情報を表示しないと決定した場合（ＮＯ）には、ステップＳ１６に処理を進める。
【００６１】
次に、ステップＳ１４において、表示方法決定部２０７は、表示判断部２０３において、受信した通知情報を表示すると判断された場合に、受信した重要度に基づいて、受信した通知情報の表示方法を決定する。
【００６２】
次に、ステップＳ１５において、アプリケーション実行部２０８は、予め記憶部（図示せず）に記憶されているウィジェットアプリを実行する。そして、アプリケーション実行部２０８は、表示判断部２０３において、受信した通知情報を表示すると判断された場合に、映像コンテンツが配置されているレイヤよりも上層のレイヤに、表示方法決定部２０７において決定された表示方法により、生成されたコンテンツを配置することで、映像コンテンツに受信した通知情報を重ね合わせて表示部２０５に表示させる。
【００６３】
次に、ステップＳ１６において、ＳＴＢ２００の電源がＯＦＦか否かを判断する。電源がＯＦＦな場合（ＹＥＳ）には、処理は終了し、電源がＯＮな場合（ＮＯ）には、ステップＳ２に処理を戻す。ＳＴＢ２００は、電源がＯＮになっている時には、家庭用電気機器３００からの通信情報および通信情報の重要度を受信できるように待機し、通信情報および通信情報の重要度を受信すると、ステップＳ１２からＳ１５の処理を実行する。
【００６４】
以上、説明したように、本実施形態によれば、映像コンテンツを表示するコンテンツ表示装置に、コンテンツ表示装置と通信ネットワークで接続された各家庭用電気機器からの通知のうち、重要な通知を表示することにより、映像コンテンツの視聴中に各家庭用電気機器からの重要な通知をユーザが知ることができる。また、家庭用電気機器から受信した通知の表示方法を、それぞれの重要度に応じて変えることができ、ユーザに通知の重要性を表示方法により知らせることができる。
【００６５】
なお、住宅内情報通知システムの処理をコンピュータ読み取り可能な記録媒体に記録し、この記録媒体に記録されたプログラムを各機器に読み込ませ、実行することによって本発明の住宅内情報通知システムを実現することができる。ここでいうコンピュータシステムとは、ＯＳや周辺装置等のハードウェアを含む。
【００６６】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００６７】
また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【００６８】
以上、この発明の実施形態につき、図面を参照して詳述してきたが、具体的な構成はこの実施形態に限られるものではなく、この発明の要旨を逸脱しない範囲の設計等も含まれる。
【符号の説明】
【００６９】
１        住宅内情報通知システム
２        住宅
１００    コンテンツサーバ
２００    ＳＴＢ
３００ａ  テレビ型ドアホン
３００ｂ  給湯機器
３００ｃ  オーブンレンジ
３００ｄ  炊飯器
３００ｅ  冷蔵庫
３００ｆ  電話／ＦＡＸ
３００ｇ  携帯電話
２０１    受信部
２０２    コンテンツ表示制御部
２０３    表示判断部
２０４    アプリケーション実行部
２０５    表示部
２０６    保存部
２０７    表示方法決定部
２０８    アプリケーション実行部
【図１】
0005689756.tif 000002
【図２】
0005689756.tif 000003
【図３】
0005689756.tif 000004
【図４】
0005689756.tif 000005
【図５】
0005689756.tif 000006